(57)【要約】【課題】  本発明の課題は、クラスタリング構成を考慮したプロファイル作成を実現するカラー印刷システムにおけるプロファイル作成方法を提供することにある。【解決手段】  クラスタリング構成される複数台の任意のプリンタ組み合わせを管理するプリンタ管理手段より、クラスタリング構成を取得し、前記構成に対して、プロファイル作成用チャートの出力指示を行い、クラスタを構成するプリンタに前記チャートを出力するチャート出力手段と、前記、チャート出力手段によって出力された複数のプリンタから出力されたすべてのチャートを順次、測定を行う測定手段と、前記、測定値に基づき夫々の物理プリンタに対するプリンタプロファイルを作成するプロファイル作成手段と、前記、プロファイルを物理プリンタと作成対象となる用紙の組み合わせと対応させて記憶するプロファイル管理手段に登録をおこなうプロファイル登録手段と、を有することを特徴とする。【選択図】  図１
2009055422.tif 000002
【特許請求の範囲】
【請求項１】
カラーマッチングに用いるカラープロファイル作成装置であって、
クラスタリング構成される複数台の任意のプリンタ組み合わせを管理するプリンタ管理手段より、クラスタリング構成を取得し、
前記、クラスタリング構成に対して、プロファイル作成用チャートの出力指示を行い、クラスタを構成するプリンタに前記チャートを出力するチャート出力手段と、
前記、チャート出力手段によって出力された複数のプリンタから出力されたすべてのチャートを順次、測定を行う測定手段と、
前記、測定値に基づき夫々の物理プリンタに対するプリンタプロファイルを作成するプロファイル作成手段と、
前記、プロファイルを物理プリンタと作成対象となる用紙の組み合わせと対応させて記憶するプロファイル管理手段に登録をおこなうプロファイル登録手段と、
を有することを特徴とするカラープロファイル作成装置。
【請求項２】
測定手段による測定に際しては分光測色機を用いることを特徴とする請求項１に記載のカラープロファイル作成装置。
【発明の詳細な説明】
【技術分野】
【０００１】
本発明は、カラープリンタに出力する際のカラーマッチングに用いられるカラープロファイルの作成方法、作成装置に関するものである。
【背景技術】
【０００２】
近年の商業印刷の一分野としてプリントオンデマンドプリント（POD）と呼ばれる多品種少量印刷が提唱され、広く普及を始めている。PODでは電子データによる入稿が一般である。当該データを製版することなく、例えば、電子写真方式のプリンタによる印刷出力が行われている。
【０００３】
更には、電子写真方式のプリンタもカラー化の進展と共にPODにもカラープリンタの導入が進展しており、従来の印刷と同様に色管理は重要な課題のひとつである。PODにおいては、前記、色管理には一般的にICCプロファイルを用いたカラーマッチング処理をもちいる。プリンタのICCプロファイル（プリンタプロファイル）を作成するには、一般的に、プリンタに複数の色味のカラーパッチを配置したパッチシートを印刷出力する。そして、前記カラーパッチの出力結果をスキャナや、分光測色機を用いて測色を行い、当該測色結果よりプリンタプロファイルが作成される。
【０００４】
ところで、近年、PODにおいては、プリンタを複数接続して同一データの印刷出力を行うクラスタリング構成も見られるようになってきた。
【０００５】
従来、クラスタリング構成を考慮したプリンタプロファイルのメンテナンスは、以下の特許文献１により開示される。但し、作成済みのプリンタプロファイルに対する補正方法が開示されるが、プロファイルの作成に関しては開示されていない。
【特許文献１】特開２００３−１６９２２０号公報
【発明の開示】
【発明が解決しようとする課題】
【０００６】
従来、クラスタリング構成のプリンタに対してICCプロファイルを作成するには、プロファイル作成手段を用いて、クラスタを構成する1台のプリンタを対象として前記、測色用パッチシートを1台ずつ出力し、測色を行い、プロファイルの作成が行われる。1台分のプリンタプロファイルの作成が完了すると、2代目のプリンタに対して1台目と同様の手順でプロファイルを作成することとなる。すなわち、従来の手順によれば、同一作業の繰り返しで作業が煩雑かつ効率的でない。更にはクラスタリングを構成するプリンタを判断するのは操作者であるため、プリンタの取り違えなどの作業ミスを招きやすい。
【０００７】
本発明は、上記の課題に鑑み、クラスタリング構成を考慮したプロファイル作成を実現するカラー印刷システムにおけるプロファイル作成方法を提供することにある。
【課題を解決するための手段】
【０００８】
上記の課題を解決するために、本発明におけるカラープロファイル作成装置は、
クラスタリング構成される複数台の任意のプリンタ組み合わせを管理するプリンタ管理手段より、クラスタリング構成を取得し、前記、クラスタリング構成に対して、プロファイル作成用チャートの出力指示を行い、クラスタを構成するプリンタに前記チャートを出力するチャート出力手段と、前記、チャート出力手段によって出力された複数のプリンタから出力されたすべてのチャートを順次、測定を行う測定手段と、前記、測定値に基づき夫々の物理プリンタに対するプリンタプロファイルを作成するプロファイル作成手段と、前記、プロファイルを物理プリンタと作成対象となる用紙の組み合わせと対応させて記憶するプロファイル管理手段に登録をおこなうプロファイル登録手段と、
を有することを特徴とする。
【０００９】
本発明のカラープロファイル作成装置の更なる特徴とするところは、測定手段による測定に際しては分光測色機を用いることを特徴とする。
【発明の効果】
【００１０】
本発明によれば、クラスタリング構成単位でプリンタプロファイルの作成を行うことが可能となり、操作者の作業が効率化され、更には作業ミスすることなく所定のプリンタに対するプロファイル作成が可能となる。
【発明を実施するための最良の形態】
【００１１】
（実施例１）
以下に本発明の実施例を、図面を参照しながら詳細に説明する。
【００１２】
＜システム構成ならびにシステム構成要素の説明＞
まず図１より図４を用いて、本実施例におけるシステム構成並びシステムを構成する各要素について説明する。
【００１３】
＜システム構成の説明＞
図１は、本発明の一実施例によるネットワークシステムの構成を示す図である。
【００１４】
図１のネットワークシステムは、プリンタコントローラとなるフロントエンドサーバ１、プリンタエンジン２（フロントエンドサーバを介してネットワーク３に接続）、クライアントＡ、クライアントＢならびにクライアントC（ＰＣとモニタを含む）で構成されており、ネットワーク３を介して接続される。クライアントＡ、クライアントＢおよびクライアントCは、モニタ表示や画像処理に必要なＣＰＵ・ＶＲＡＭ等及びネットワーク上の通信に必要な通信機能を備えている。更には、クライアントＡには、ＩＣＣプロファイルを作成する際に用いるパッチ画像データの測色を目的とした測色機が接続される。測色機は公知の技術により構成される分光光度計が用いられる。
【００１５】
また、プリンタエンジン２は、複数台接続することが可能であり、前記、複数台接続されたプリンタエンジンの任意の組み合わせによりクラスタを構成することが可能である。本実施例においては、プリンタエンジン２−１，プリンタエンジン２−２およびプリンタエンジン２−３の合計３台接続されているものとして説明を行う。
【００１６】
なお、以降の説明において特にプリンタエンジンの固体を指定しない場合やプリンタエンジン全体を指し示す場合は、プリンタエンジン２と呼称する。
【００１７】
＜フロントエンドサーバ１ならびにプリンタエンジン２の構成の説明＞
図２は前出のフロントエンドサーバ１とプリンタエンジン２の構成を示す図である。
【００１８】
図２のように、フロントエンドサーバ１は、ネットワークに接続するためのネットワークＩ／Ｆ（インタフェース）部１０、ジョブデータを制御するジョブ制御部１１、ＰＤＬ（ページ記述言語）を解析して中間データを生成するＰＤＬインタプリタ部１２、ＰＤＬインタプリタ部で生成された中間データが格納される中間データ格納部１３、プリンタエンジン２とのデータのやり取りを行うための通信インタフェース部１４、フロントエンドサーバ1に接続されるプリンタエンジン２のクラスタリング構成を管理するプリンタ管理部１５、ジョブに対して、ICCプロファイルを用いて指定されたカラーマッチング処理を行うカラーマネージメント処理部１６、カラーマッチングに使用されるプロファイルならびにカラーマッチング処理を行うための各種パラメータならびに使用するプロファイル等をひとくくりにしたデータセット（以降、カラー設定と呼称する）を保有・管理し、各部へカラーマッチング設定の提供を行うカラー設定管理部１７から構成される。
【００１９】
また、ジョブ制御部１１は、ジョブをホールドする等のジョブ管理を行うジョブ管理部１１Ａ、ジョブ中のジョブチケットを解析するジョブ解析部１１Ｂ、クライアントＣからのジョブデータを受け付けるディレクトリの監視を行い、前記ディレクトリへ投入されたジョブデータファイルに対して事前に設定した内容に基づきジョブチケットを付与し、ジョブデータとするホットフォルダ管理部１１Ｃ、ジョブ管理部１１Ａによって管理されるジョブデータの編集、ジョブチケットの生成、編集を行うジョブチケット生成・編集部１１D、ホットフォルダ管理部１１Ｃに投入されるジョブデータファイルに対して生成、付与するジョブチケットの設定内容等の管理を行う設定情報管理部１１E、および前記設定情報管理部１１Eにて管理を行う情報のうち、特にカラーマッチングに関する情報の管理を行うカラー設定情報管理部１１Fを含む。
【００２０】
また、カラー設定管理部１７は、カラーマッチングに用いるプロファイルならびにカラー設定を格納するカラー設定格納部１７Ａも保有する。
【００２１】
プリンタエンジン２は、フロントエンドサーバ１とデータをやりとりする通信Ｉ／Ｆ部２０、出力部２１、フロントエンドサーバ1より送信された中間データをビットマップイメージデータに変換するレンダリング部２２、ジョブに対してICCプロファイルを用いて指定されたカラーマッチング処理を行うカラーマネージメント処理部２３から成る。
【００２２】
なお、本実施例にて説明するICCプロファイル生成に用いるカラーパッチを出力する際には、カラーマネージメント処理部１６ならびにカラーマネージメント処理部２３においてのカラーマッチング処理は行わない。
【００２３】
＜クライアントＡの構成の説明＞
図３は本実施例におけるクライアントAの構成を示す図である。
【００２４】
図３のようにクライアントＡは、フロントエンドサーバ１におけるネットワークＩ／Ｆ部１０と等価なネットワークＩ／Ｆ部１０、フロントエンドサーバ１中のカラー設定格納部１７A中に格納されるプロファイルならびにカラー設定の新規登録、削除ならびに編集を行うカラー設定編集部３０、クライアントＡに接続される測色機を制御する測色機制御部３１ならびに前記、測色機制御部３１に接続される測色機３２より成る。
【００２５】
また、カラー設定編集部３０は、カラー設定編集部３０を用いている間はカラー設定格納部１７Ａに格納される情報の一部あるいはすべてをフロントエンドサーバ１より取得し一時的に格納を行うための、カラー設定情報一時格納部３０Ａ、測色機制御部３１を介して測色機３２において測色された測色値よりプロファイルを作成するプロファイル作成部３０Bならびに前記、測色に用いるカラーパッチデータを保有し、パッチ出力を行うパッチ管理部３０Cを有する。
【００２６】
＜クライアントB、クライアントＣの構成の説明＞
図４は本実施例におけるクライアントBならびにクライアントＣの構成を示す図である。
【００２７】
図４のようにクライアントＢは、フロントエンドサーバ１およびクライアントＡにおけるネットワークＩ／Ｆ部１０と等価なネットワークＩ／Ｆ部１０ならびにプリンタドライバ部４０より成る。
【００２８】
プリンタドライバ部４０は、PDLの作成を行うことが不能な文書作成アプリケーション４１により利用され、ジョブデータの構成要素であるジョブチケットの生成を行うジョブチケット生成部４０Ａを保有する。更に、前記文書作成アプリケーションによって作成された文書の解析し、該解析結果によりPDLの生成を行うＰＤＬ生成部４０Ｂ、ジョブチケットの設定内容等の情報管理を行う設定情報管理部４０Ｃ、および前記設定情報管理部４０Ｃにて管理を行う情報のうち、特にカラーマッチングに関する処理の管理を行うカラー設定情報管理部４０Cを保有する。
【００２９】
そして、プリンタドライバ部４０は、ＰＤＬならびにジョブチケットをジョブデータとして合成しネットワークＩ／Ｆ部１０を介してフロントエンドサーバ１へジョブデータの投入を行う。
【００３０】
クライアントＣは、クライアントＢにおけるネットワークＩ／Ｆ部１０と等価なネットワークＩ／Ｆ部１０、および、本システムの操作者がプリントデータの作成、編集を行い、PDLを作成し、該PDLをホットフォルダ１３Cが監視するディレクトリへの投入を行うプリントデータ作成・編集部４２より成る。
【００３１】
プリントデータ作成・編集部４２は、操作者が文書作成・編集を行う文書作成・編集部４１ならびに前記文書作成・編集部４２Ａによって作成された文書を解析し、該解析に結果よりＰＤＬの生成を行うＰＤＬ生成部４２Ｂを保有する。
【００３２】
なお、クライアントBならびにクライアントＣはICCプロファイルを用いたカラーマッチングを行うプリントジョブを生成し、フロンロントエンドサーバ１へ投入するため、本実施例のプリントシステムでは必要となる構成であるが、本発明においては必須の構成ではない。
【００３３】
以上、図１から図４を用いてシステム構成ならびに構成要素の説明を行った。なお、本実施例においては、クライアントは３台接続されるものとして説明するが、クライアントＡ、クライアントＢおよびクライアントＣと等価なクライアントがそれぞれ複数台接続されていても本発明は実現可能である。
【００３４】
更には、クラインアントＡの構成は、フロントエンドサーバ１中に存在する構成であっても本発明は実現可能である。なおクライアントＡは複数存在しても良いが、同時にカラー設定が編集可能なクライアントは１台に限定することが望ましい。
【００３５】
更には、クライントＢまたはクライアントＣどちらか１台のみの接続であっても本発明は実現可能である。
【００３６】
更には、１台のクライアント中に、クライアントＡ、ＢおよびＣの構成が混在していても本発明は実現可能である
＜データの説明＞
次に図５より図８を用いて、本実施例で主に用いるデータの説明を行う。
【００３７】
＜カラー設定情報＞
図５は、フロントエンドサーバ１中のカラー設定格納部１７Ａ中に格納され、カラー設定管理部１７にて管理されるカラー設定情報の１レコードを説明する模式図である。
【００３８】
カラー設定情報は、前述のように、ジョブデータのカラーマッチング処理を行うにあたっての適用プロファイル、レンダリングインテントのほかカラーマッチング処理に関する記述がなされ、フロントエンドサーバ１中のカラーマネージメント処理部１６は、当該記述内容に沿ったカラーマッチング処理を行う。
【００３９】
図５のように、カラー設定情報はデータカテゴリ５１、データ項目５２のごとく階層化管理され、前記データ項目には登録データ記述内容例５３に記載する内容が登録される。登録データ記述内容例５３中、斜体で記載された項目は、記述項目より択一選択される項目でありカラー設定格納部１７Ａにデータカテゴリ５１、データ項目５２と関連して記憶される。
【００４０】
また、カラー設定情報は、カラーマッチング処理に使用するプリンタプロファイル名称を記述するプリンタプロファイル欄５０２、テキストオブジェクトに対するカラーマッチング処理に使用するターゲットプロファイル、カラーマッチング時のレンダリングインテント、その他特殊処理設定などを記述し、ジョブデータ中のＰＤＬに記述されるテキストオブジェクトのカラーマッチング処理に適用される設定をカテゴライズしたテキストオブジェクト設定カテゴリ５０３、テキストオブジェクト設定カテゴリ５０３と同様にジョブデータ中のＰＤＬに記述されるイメージオブジェクトのカラーマッチング処理に適用される設定をカテゴライズしたイメージオブジェクト設定カテゴリ５０４、ジョブデータ中のＰＤＬに記述されるグラフィックオブジェクトのカラーマッチング処理に適用される設定をカテゴライズしたグラフィックオブジェクト設定カテゴリ５０５に加えて、前記プリンタプロファイル欄５０２よりグラフィックオブジェクト設定カテゴリ５０５の設定を１レコードとして該レコードを識別する名称を管理するカラー設定名称欄５０１の５カテゴリにより構成される。
【００４１】
上記、５カテゴリのデータ一式をもって、１レコードとして管理を行う。なお、本実施例では、カラー設定格納部１７Ａ中には複数レコードが格納され、カラー設定管理部１７によって管理される。
【００４２】
テキストオブジェクト設定カテゴリ５０３には、テキストオブジェクトがＲＧＢデータである場合に適用されるプロファイル名称を記述するＲＧＢターゲットプロファイル欄５０３Ａ、前記ＲＧＢターゲットプロファイル欄５０３Ａを適用する際のカラーマッチング方法を指定するＲＧＢレンダリングインテント欄５０３Ｂ、テキストオブジェクトがＣＭＹＫデータである場合やＣＭＹＫシミュレーションを行う場合のシミュレーション対象のプロファイル名称を記述するＣＭＹＫターゲットプロファイル欄５０３Ｃ、前記ＣＭＹＫターゲットプロファイル欄５０３Ａを適用する際のカラーマッチング方法を指定するＣＭＹＫレンダリングインテント欄５０３Ｄ、後述するスポットカラーセット名を記述するスポットカラー適用色設定欄５０３Ｅ、ＣＭＹＫシミュレーションの適用、非適用の設定を行うＣＭＹＫシミュレーション設定欄５０３Ｆ、墨版保証の適用、非適用の設定を行う墨版保証設定欄５０３Ｇより構成される。
【００４３】
また、詳細なる説明は省略するが、イメージオブジェクト設定カテゴリ５０４、グラフィックオブジェクト設定カテゴリ５０５についてもテキストオブジェクト設定カテゴリ５０３と同様なデータ項目５２を有する。
【００４４】
＜プロファイルの管理様式＞
図６は、フロントエンドサーバ１中のカラー設定格納部１７Ａ中に格納され、カラー設定管理部１７にて管理されるカラープロファイルの管理様式を説明する模式図である。カラープロファイルは、本システムに事前に準備されるほか、クライアントＡのプロファイル作成部３０Bにより作成され、カラー設定格納部１７Ａ中に登録される。
【００４５】
本実施例においては、ＲＧＢターゲット６１、ＣＭＹＫターゲット６２、プリンタプロファイル６３ならびにスポットカラー変換セット６４に大別され、管理される。
【００４６】
ＲＧＢターゲット６１ならびにＣＭＹＫターゲット６２は、カラープロファイルの実体とプロファイル名称を一対として管理される。本実施例におけるカラー設定情報中には前記プロファイル名称が記述され、カラー設定管理部１７において対となるカラープロファイル実体が特定される。
【００４７】
プリンタプロファイル６３は、カラープロファイルの実体とプロファイル名称を一対として管理されるものをプリンタエンジン２ごとに更にまとめて管理する。なお、プロファイル名称には用紙名称を用いるものとする。また、カラープロファイルの実体は、本実施例においては詳細なる説明は省略するが、キャリブレーションにより補正されることを想定して、プロファイル作成直後の状態である初期プロファイル、補正実施直前の状態である直前プロファイルとカラーマッチング処理に実際に使用されるカレント状態であるカレントプロファイルの3データを管理する。
【００４８】
また、プリンタエンジン２−１、２−２ならびに２−３に対応するプロファイルとは別にクラスタリング時のカラーマッチングの基準となる基準プロファイルを用紙名称とプロファイルの実体を一対として管理を行う。
【００４９】
スポットカラー変換セット６４の実体は、カラープロファイルとは異なり、特定のインキ名称などＰＤＬ中に記載されるカラー名称とプリンタ出力時のＣＭＹＫの各値を対としたデータ（以降、スポットカラーデータと呼称する）を１単位として、複数のスポットカラーデータを１セット（以降、スポットカラーセットと呼称）として管理を行う。そして、前記、スポットカラーセットに対して名称（以降、スポットカラーセット名称と呼称する）を付与する。本実施例におけるカラー設定情報中には前記、スポットカラーセット名称が記述され、カラー設定管理部１７において対となるスポットカラーセットが特定される。
【００５０】
なお、本実施例におけるカラーマッチングフローについてはフロントエンドサーバ１のカラーマネージメント処理部１６によって、RGBターゲットあるいはCMYKターゲットを入力側、前述の基準プロファイルを出力側としてカラーマッチングを行い、プリントエンジン２中のカラーマネージメント処理部２３により基準プロファイルを入力として、各プリンタエンジン２ごとに管理されるプリンタプロファイルを出力としてカラーマッチングを行うものとする。なお、スポットカラーはフロントエンドサーバ１において、入力、出力のプロファイルを用いたカラーマッチング処理に代わりジョブデータファイル中にカラー名称が記載されていた場合に適用される。また、カラーマッチング処理については公知の技術を用いるものとする。
【００５１】
＜仮想プリンタ管理データ＞
図７は、フロントエンドサーバ１中のプリンタ管理部１５において管理される仮想プリンタ管理データの模式図である。
【００５２】
本実施例における仮想プリンタとは、フロントエンドサーバ１に接続されるプリンタエンジン２を任意の組み合わせでクラスタリングを行う際の組み合わせを示すものであって、仮想的に1台のプリンタとして取り扱うことを可能とするものである。仮想プリンタ管理データには、仮想プリンタと実際にクラスタリングをおこなうプリンタエンジン２が関連付けられたプリンタ管理データ７１と各プリンタエンジン２において使用可能な用紙を管理する用紙管理データ７２が管理される。
【００５３】
プリンタ管理データ７１は、仮想プリンタごとに仮想プリンタを構成するプリンタエンジン２が関連付けられている。
【００５４】
用紙管理データ７２は、プリンタエンジン２ごとに使用可能な用紙が関連付けられている。
【００５５】
＜ジョブチケット＞
図８は、ジョブデータならびにジョブチケットデータの一例を示している。
【００５６】
ジョブデータ８０は、処理を指示する内容が記述されているジョブチケットデータと、ＰＤＦ、ＰＳ、ＴＩＦＦ、ＪＰＥＧ等の実際の出力データであるジョブデータファイルから構成されていることを示している。
【００５７】
ジョブチケットデータ８１は、レイアウト情報には用紙サイズ設定情報、用紙種類の情報、ページオリエンテーション情報等が含まれる。またカラーマネージメントに関する情報として通常のプリントジョブには図５において説明カラー設定情報のうちがカラー設定名称５０１かカラー設定情報の各データ項目５２が記述される。プロファイル作成用カラーパッチを出力する場合は、カラーマネージメント情報にはカラーマッチングをスキップするよう旨の情報が記載される。
【００５８】
＜カラー設定編集部３０の画面表示例＞
次に図９、図１０を用いて、カラー設定編集部３０における初期画面、プロファイルのメンテナンスを行う画面表示例について説明する。
【００５９】
なお、カラー設定編集部３０は、本システムの操作者のうち、特に本システムにおけるプリント出力の色味を管理するカラー管理者によって操作される。したがって、カラー設定編集部３０を起動する際には、カラー管理者であることを認証することでより望ましい実施の形態となる。
【００６０】
＜カラー設定編集部３０における初期画面表示例＞
図９は、本実施例におけるカラー設定編集部３０起動時の初期表示画面の表示例である。
【００６１】
カラー設定編集部３０は、メイン画面として、カラー設定部９１とプロファイル管理部９２の２画面を有する。また、メイン画面画面における機能選択により表示されるサブ画面より構成される。サブ画面は必要に応じて表示を行う。なお、カラー設定部９１とプロファイル管理画面９２はマウス等のポインティングデバイスにより表示を所望する画面クリックすること等で切り替えが可能であり、起動直後のメイン画面は、カラー設定部９１の表示を行う。
【００６２】
カラー設定部９１は、カラー設定管理部１７において管理されるカラー設定名称のメンテナンス機能を有している。本発明の特徴を説明するに当たっては必須ではないので本画面の詳細なる説明は省略する。
【００６３】
なお、カラー設定部９１ならびにプロファイル管理部９２には共通のボタンとしてカラー設定編集部３０の使用を終了するＯＫボタン９７、およびカラー設定編集部３０における操作内容を破棄し、該カラー設定編集部３０の使用を終了するキャンセルボタン９８を有する。
【００６４】
＜カラー設定編集画面およびカラー設定登録画面の表示例＞
図１０は、プロファイル管理部９２の画面表示例である。カラー設定編集部３０の起動後、本画面のタブ部をマウスクリックすることなどで切り替えて使用する。
【００６５】
図１０中、１０１はプロファイルカテゴリを切り替えるカテゴリ選択部１０１である。カテゴリ選択部１０１においてメンテナンスを所望するプロファイル群の切り替えをおこなう。本部において表示されるカテゴリは、図６において分類した、RGBターゲット、CMTKターゲット、プリンタプロファイル、スポットカラーテーブルの４種となる。１０２は、カテゴリ選択部１０１において選択されたカテゴリに対応した、カラー設定格納部１７Ａにて格納されるプロファイルのリストを表示するプロファイル表示部１０２である。
【００６６】
カテゴリ選択部１０１においてプリンタプロファイルが選択された場合、プロファイル表示部１０２には、プリンタエンジン２ごとに管理されるプロファイルを表す用紙名称のリストが表示される。したがって本実施例ではプリンタエンジン２−１、プリンタエンジン２−２、プリンタエンジン２−３ごとにプロファイル実体を指し示す用紙名称の一覧が表示される。
【００６７】
プロファイル追加ボタン１０３は、プロファイルの作成指示を与えるボタンであり、本ボタンによってプロファイル追加指示をあたえることで、後述のプロファイル追加作業が開始される。
【００６８】
なお、ＯＫボタン９３、キャンセルボタン９４は、カラー設定部９１において説明済である。
【００６９】
＜プロファイル追加処理の説明＞
次に図１１より図１６を用いて本実施例におけるクラスタ構成を考慮したプロファイルの作成並びにカラー設定格納部１７Ａに格納されるまでの説明を行う。
【００７０】
まず、詳細を説明する前に本処理の概要を説明する。
【００７１】
前述のプロファイル管理部９２においてプロファイル追加ボタン１０３により作業指示を与えることでプロファイルの追加作業が開始される。
【００７２】
プロファイルを作成し追加登録するには、まず作成対象であるプリンタを仮想プリンタにより選択をおこなう。次に用紙を選択する。
【００７３】
前記選択により仮想プリンタに対応する、プリンタエンジン２に対して、選択した用紙を用いてパッチシートを出力するべくプリントジョブをフロントエンドサーバ１に投入する。次に前記プリントジョブの出力結果を測色機により測色をおこない、該測色値を用いてプロファイルを作成する。作成されたプロファイルは図６のプリンタプロファイル６３の管理様式と同様な関連付けがカラー設定編集部３０で行われた後に、ネットワークＩ／Ｆ１０を介してカラー設定格納部１７Aへ格納される。
【００７４】
以下、図１１の画面表示例ならびに図１２のフローチャートを用いて説明する。
【００７５】
図１１は、本実施例におけるカラー設定編集部３０におけるプロファイル作成時に表示を行う画面表示例である。以下、図１２によるフローチャートによる説明の補助として適宜用いていく。
【００７６】
図１２は、本実施例におけるプリンタプロファイル追加処理を説明するフローチャートである。本図は、プロファイル追加ボタン１０３により開始指示を与えられることで開始される。
【００７７】
図１２中、ステップＳ１２０１では、カラー設定編集部３０がネットワークＩ／Ｆ１０を介して、フロントエンドサーバ１中のプリンタ管理部１５より、プリンタ管理データ７１の取得を行う。次に前記取得したプリンタ管理データより仮想プリンタのリストを作成する。
【００７８】
ステップＳ１２０２では、ステップＳ１２０１で取得した仮想プリンタを選択対象として、図１１中の仮想プリンタ選択画面１１０１のごとき画面を表示し、プロファイル作成対象の仮想プリンタの選択を受け付ける。仮想プリンタの選択を受け付けたならばステップＳ１２０３へ進む。
【００７９】
ステップＳ１２０３では、ステップＳ１２０１で取得したプリンタ管理データより、ステップＳ１２０２で選択された仮想プリンタを構成するプリンタエンジン２を特定する。
【００８０】
ステップＳ１２０４では、ネットワークＩ／Ｆ１０を介してフロントエンドサーバ１５で管理される用紙管理データ７２より、前記、ステップＳ１２０３で特定されたプリンタエンジン２の使用可能用紙を取得する。次に仮想プリンタを構成するプリンタエンジン２に共通する使用可能用紙を割り出し、該割り出し結果である作成候補用紙リストを作成する。
【００８１】
ステップＳ１２０５では、ステップＳ１２０４で作成した作成候補用紙リストを選択対象として、図１１中の用紙選択画面１１０２のごとき画面を表示し、プロファイル作成対象である用紙の選択を受け付ける。用紙の選択を受け付けたならばステップＳ１２０６へ進む。
【００８２】
ステップＳ１２０６では、パッチ管理部３０Ｃに対してプロファイルを作成するためのパッチデータの出力依頼を行う。
【００８３】
パッチ管理部３０Ｃでは、ステップＳ１２０２において選択された仮想プリンタを出力先として、更にステップＳ１２０５において選択された用紙を出力用紙としてジョブチケットに記載を行う。また、カラー設定には、カラーマッチングをスキップする旨が記載される。そして、パッチ管理部３０Ｃでは、パッチデータであるジョブデータファイルと、前記ジョチケットより構成されるジョブデータをフロントエンドサーバ１へ投入する。
【００８４】
なお、本実施例においては、フロントエンドサーバ１中のパッチシート出力専用のホットフォルダにてジョブの受け付けを行うものとする。
【００８５】
ステップＳ１２０７においては、カラー設定編集部３０が、ステップＳ１２０６において送信されたジョブデータのプリント出力結果であるパッチシートのパッチに対する測色値を測色機制御部３１より得る。なお、測色機制御部３１は、測色機３２を制御して測色値を得る。測色値の受領にあたっては、図１１中の測色状況の進捗を確認可能な測色画面１１０３を表示する。測色画面１１０３は、作成対象となるプリンタエンジン２に対応して表示を行う。たとえば、仮想プリンタを構成するプリンタエンジン２がプリンタエンジン２−１とプリンタエンジン２−２の２台の場合は、まず、プリンタエンジン２−１を対象とした測色画面１１０３を表示する。プリンタエンジン２−１にて出力されたパッチシートの測色が完了したならば、引き続き、プリンタエンジン２−２を対象とした測色画面１１０３を表示し、測色が行われる。
【００８６】
作成対象である仮想プリンタを構成するすべてのプリンタエンジン２からプリント出力されたパッチシートの測色値を得たならばステップＳ１２０８へ進む。
【００８７】
なお、ステップＳ１２０７における処理詳細は図１５のフローチャートを用いて後述する。
【００８８】
ステップＳ１２０８では、前記、ステップＳ１２０７において得られた測色値を基にプロファイル作成部３０Ｂにプロファイルの作成依頼を行い、該依頼結果であるプロファイルを得る。
【００８９】
ステップＳ１２０９では、ステップＳ１２０８において作成されたプロファイルを図６にて説明したプリンタプロファイル６３管理様式に従いプリンタエンジン２ならびに用紙名称とプロファイルの実体を関連付けて、ネットワークＩ／Ｆ１０を介してフロントエンドサーバ１中のカラー設定管理１７に対して登録要求を行う。
【００９０】
カラー設定管理部１７は、前記、要求を受け付け、カラー設定格納部１７Ａに新規作成されたプロファイルの格納を行う。
【００９１】
登録要求の処理結果をカラー設定管理部１７より受領したクライアントＡ中のカラー設定編集部３０は、プロファイルの追加処理を終了する。
【００９２】
＜ジョブデータ（パッチシート）出力＞
次に図１２のステップＳ１２０６においてフロンエンドサーバ１へ投入されたパッチシートの出力処理について図１３ならびに図１４のフローチャートを用いて説明する。
【００９３】
図１３は、パッチシートのプリント出力処理を説明するフローチャートである。
【００９４】
図１３は、フロントエンドサーバ１中のホットフォルダ管理部１１Ｃにて管理されるパッチシート出力用のホットフォルダにプリントジョブが投入され、ジョブ管理部１１Ａによってホールドされた状態から開始される。
【００９５】
ステップＳ１３０１では、該ジョブデータ中のジョブチケットデータのみを取り出し、ステップＳ１３０２へ進む。
【００９６】
ステップＳ１３０２において該ジョブチケットデータをジョブ解析部１１Ｂで解析して、ステップＳ１３０３へ進む。
【００９７】
ステップ１３０３で、図８のジョブチケットデータ中の、出力する用紙種類の情報をInfo_mediaにセットしてステップＳ１３０４へ進む。
【００９８】
ステップＳ１３０４では、ジョブデータを出力し、処理を終了する。
【００９９】
＜ジョブデータ出力詳細＞
次に、図１４を用いて、前記、ステップＳ１３０４のジョブデータ出力の詳細を説明する。
【０１００】
図１４は、ジョブデータ出力の詳細を説明するフローチャートである。
【０１０１】
図１４中、ステップＳ１４０１は、ジョブチケットの解析結果よりカラーマッチング処理をスキップするかを判定し、スキップしない場合は、通常のジョブデータの出力であるので、ステップＳ１４０８へ進む。
【０１０２】
パッチシート出力の場合はカラーマッチング処理をスキップするので、ステップＳ１４０２へ進む。
【０１０３】
ステップＳ１４０２では、ＰＤＬインタプリタ部１２でジョブファイルのデータを解析して、中間データを生成して、ステップＳ１４０３へ進む。
【０１０４】
ステップＳ１４０３では、ステップＳ１４０２で生成された中間データを中間データ格納部１３に格納する。ステップＳ１４０４へ進む。
【０１０５】
ここで、通常出力の場合は、次のステップにおいてカラーマネージメント処理部１６にてカラーマッチング処理を行うが、パッチシート出力の場合は、カラーマッチング処理を行わないためステップＳ１４０４へ進む。
【０１０６】
ステップＳ１４０４では、中間データ格納部１３に格納された中間データをジョブチケットに記載された、出力先仮想プリンタを構成するプリンタエンジン２に転送し、ステップＳ１４０５に進む。仮想プリンタよりプリンタエンジンを得るにはカラー管理部１５に対して問い合わせる。
【０１０７】
ステップＳ１４０５では、プリンタエンジン２中のレンダリング部２２でビットマップイメージデータに展開する。
【０１０８】
ここで、ステップＳ１４０３と同様に、次のステップにおいてカラーマネージメント処理部１６にてカラーマッチング処理を行うが、パッチシート出力の場合は、カラーマッチング処理を行わないためステップＳ１４０６へ進む。
【０１０９】
ステップＳ１４０６において、Ｉｎｆｏ＿ｍｅｄｉａ情報に基づいて用紙を選択してステップＳ１４０７進む。
【０１１０】
ステップＳ１４０７で、前記選択された用紙に印刷することでパッチシートが得られる。そして、本パッチシートをクライアントＡに接続される測色機３２において測色を行い、当該測色結果に基づきプロファイルが生成される。
【０１１１】
なお、本発明で用いるプロファイル作成用パッチシートは、多数の先行技術により開示されるＣＭＹＫ各色の混合比が多種存在する多次色のパッチシートを用いることで実現可能であるため、本実施例においてはパッチシートの詳細なる説明は行わない。
【０１１２】
＜測色データの取得詳細＞
次に図１２中のステップＳ１２０７のカラー設定編集部３０が測色機制御部３１を介して測色機３２で測色した測色値を取得する測色データの取得について詳細なる説明を行う。
【０１１３】
図１５は、測色データの取得詳細処理を説明するフローチャートである。
【０１１４】
ステップＳ１５０１では、まず測定対象のプリンタエンジン２の告知を行うべく、測定対象プリンタエンジンを明記した測色画面１１０３の表示を行いステップＳ１５０２へ進む。
【０１１５】
ステップS１５０２では、ステップＳ１５０１で告知したパッチシートの測色を測色機３２を用いて行う。
【０１１６】
ステップＳ１５０３では、カラー設定編集部３０が測色機３２での測色結果を測色機制御部３１より取得を行う。なお、本実施例においては、パッチの1列分の測色値を一括して取得を行う。
【０１１７】
ステップＳ１５０４では、取得結果を記憶後、1列分の測色が終了したことを告知するべく、測色画面１１０３の更新を行う。
【０１１８】
ステップＳ１５０５では、測定対象である１台分のプリンタエンジン２に対応するパッチシートの測色が完了したかを判断し、測色未完了である場合は、パッチシートの次列の測色を行うべくステップＳ１５０２へ戻る。
【０１１９】
完了した場合は、ステップＳ１５０６へ進む。
【０１２０】
ステップＳ１５０６では、仮想プリンタに対応するすべてのプリンタエンジン２よりプリント出力されたパッチシートに対する側色が完了しているかを判断する。
【０１２１】
判断結果が未完了、つまり、未測定のプリンタエンジン２が存在する場合は、次のパッチシートの測定を開始するべくステップＳ１５０１へと戻り、測色画面１１０３の測色結果の表示部をリセットすると共に次なる測定対象であるプリンタエンジン２の告知を行うべく測定対象プリンタエンジンを明記するべく測色画面１１０３の表示更新を行い、測色が再開される。
【０１２２】
判断結果が完了の場合は、すべてのプリンタエンジン２に対応するパッチシートの測色が完了し、測色値を取得し、記憶されたので、処理を終了する。
【０１２３】
以上説明したように、フロントエンドサーバ１中のプリンタ管理部１５において管理されるクラスタ構成を表す仮想プリンタを指定し、かつ仮想プリンタを構成するプリンタエンジン２すべてで使用可能な用紙を指定し、仮想プリンタに対してＩＣＣプロファイル作成用パッチシートの出力を行いかつ、連続して測色し、ＩＣＣプロファイルの作成ならびにフロントエンドサーバ１中のカラー設定格納部１７Ａへ登録を行う処理について説明した。
【図面の簡単な説明】
【０１２４】
【図１】本発明の一実施例によるネットワークシステムの構成を示す図である。
【図２】本発明の実施例におけるフロントエンドサーバ１とプリンタエンジン２の構成を示す図である。
【図３】本発明の実施例におけるクライアントAの構成を示す図である。
【図４】本発明の実施例におけるクライアントBならびにクライアントＣの構成を示す図である。
【図５】本発明の実施例におけるカラー設定格納部１７Ａ中に格納され、カラー設定管理部１７にて管理されるカラー設定情報の１レコードを説明する模式図である。
【図６】本発明の実施例におけるカラー設定格納部１７Ａ中に格納され、カラー設定管理部１７にて管理されるカラープロファイルの管理様式を説明する模式図である。
【図７】本発明の実施例におけるプリンタ管理部１５にて管理される仮想プリンタ管理データならびに用紙管理データの模式図である。
【図８】本発明の実施例におけるジョブデータならびにジョブチケットデータの一例を説明する図である。
【図９】本発明の実施例におけるカラー設定編集部３０の初期表示画面の表示例を示す図である。
【図１０】本発明の実施例におけるカラー設定編集部３０のカラー設定編集画面の表示例を示す図である。
【図１１】本発明の実施例における本実施例におけるカラー設定編集部３０におけるプロファイル作成時に表示を行う画面表示例である。
【図１２】本発明の実施例における本実施例におけるプリンタプロファイル追加処理を説明するフローチャートである。
【図１３】本発明の実施例中におけるパッチシートのプリント出力処理を説明するフローチャートである。
【図１４】本発明の実施例中におけるジョブデータ出力の詳細を説明するフローチャートである。
【図１５】本発明の実施例中における測色データの取得詳細処理を説明するフローチャートである。
【符号の説明】
【０１２５】
１  フロントエンドサーバ
２、２−１、２−２、２−３  プリンタエンジン
３  ネットワーク
１０  ネットワークＩ／Ｆ（インタフェース）部１０
１１  ジョブデータを制御するジョブ制御部
１１Ａ  ジョブ管理部
１１Ｂ  ジョブ解析部
１１Ｃ  ホットフォルダ管理部
１１Ｄ  ジョブチケット生成・編集部
１１Ｅ  設定情報管理部
１１F  カラー設定情報管理部
１２  ＰＤＬインタプリタ部
１３  中間データ格納部
１４  通信インタフェース部
１５  プリンタ管理部
１６  カラーマネージメント処理部
１７  カラー設定管理部
１７Ａ  カラー設定格納部
２０  通信Ｉ／Ｆ部
２１  出力部
２２  レンダリング部
２３  カラーマネージメント処理部
３０  カラー設定編集部
３０Ａ  カラー設定情報一時格納部
３０Ｂ  プロファイル作成部
３０Ｃ  パッチ作成部
４０  プリンタドライバ部
４０Ａ  ジョブチケット生成部
４０Ｂ  ＰＤＬ生成部
４０Ｃ  設定情報管理部
４０Ｄ  カラー設定情報管理部
４１  文書作成アプリケーション
４２  プリントデータ作成・編集部
４２Ａ  前記文書作成・編集部
４２Ｂ  ＰＤＬ生成部
５１  データカテゴリ
５２  データ項目
５３  登録データ記述内容例
５０１  カラー設定名称欄
５０２  プリンタプロファイル欄
５０３  テキストオブジェクト設定カテゴリ
５０３Ａ  ＲＧＢターゲットプロファイル欄
５０３Ｂ  ＲＧＢレンダリングインテント欄
５０３Ｃ  ＣＭＹＫターゲットプロファイル欄
５０３Ｄ  ＣＭＹＫレンダリングインテント欄
５０３Ｅ  スポットカラー適用色設定欄
５０３Ｆ  ＣＭＹＫシミュレーション設定欄
５０３Ｇ  墨版保証設定欄
５０４  イメージオブジェクト設定カテゴリ
５０５  グラフィックオブジェクト設定カテゴリ
６１  ＲＧＢターゲット
６２  ＣＭＹＫターゲット
６３  プリンタプロファイル
６４  スポットカラー変換セット
７１  プリンタ管理データ
７２  用紙管理データ
８０  ジョブデータ
８１  ジョブチケットデータ
９１  カラー設定部
９２  プロファイル管理部
９３  ＯＫボタン
９４  キャンセルボタン
１０１  カテゴリ選択部
１０２  プロファイル表示部
１０３  プロファイル追加ボタン
１１０１  仮想プリンタ選択画面
１１０２  用紙選択画面
１１０３  測色画面
Ｓ１２０１〜Ｓ１２０９  処理ステップ
Ｓ１３０１〜Ｓ１３０４  処理ステップ
Ｓ１４０１〜Ｓ１４０８  処理ステップ
Ｓ１５０１〜Ｓ１５０６  処理ステップ
【図１】
2009055422.tif 000003
【図２】
2009055422.tif 000004
【図３】
2009055422.tif 000005
【図４】
2009055422.tif 000006
【図５】
2009055422.tif 000007
【図６】
2009055422.tif 000008
【図７】
2009055422.tif 000009
【図８】
2009055422.tif 000010
【図９】
2009055422.tif 000011
【図１０】
2009055422.tif 000012
【図１１】
2009055422.tif 000013
【図１２】
2009055422.tif 000014
【図１３】
2009055422.tif 000015
【図１４】
2009055422.tif 000016
【図１５】
2009055422.tif 000017